(57)【要約】【課題】  本発明はボールや石の移動量を大きくして、効率よく石を粉砕することができるとともに、ボールや石を上方へ移動したり、石をボールとの衝突によって効率よく粉砕させるスチールロッドの交換作業を容易に行なうことができるボールミルを得るにある。【解決手段】  フレームに取付けられた回転駆動装置で回転される一端部に挿入口が形成され、他端部に排出口が形成されたボールミル本体と、このボールミル本体の内壁面に所定間隔で、並列するように配置された多数個のスチールロッドと、これらのスチールロッドの少なくとも両端部あるいは両端部寄りの部位で着脱可能に前記ボールミル本体に固定する取付具とでボールミルを構成している。【選択図】  図５
2005279412.tif 000002
【特許請求の範囲】
【請求項１】
フレームに取付けられた回転駆動装置で回転される一端部に挿入口が形成され、他端部に排出口が形成されたボールミル本体と、このボールミル本体の内壁面に所定間隔で、並列するように配置された多数個のスチールロッドと、これらのスチールロッドの少なくとも両端部あるいは両端部寄りの部位で着脱可能に前記ボールミル本体に固定する取付具とからなることを特徴とするボールミル。
【請求項２】
フレームに取付けられた回転駆動装置で回転される一端部に挿入口が形成され、他端部に排出口が形成されたボールミル本体と、このボールミル本体の内壁面に所定間隔で、並列するように配置された多数個のスチールロッドと、これらのスチールロッドの少なくとも両端部あるいは両端部寄りの部位で着脱可能に前記ボールミル本体に固定する、底面中央部にスチールロッド挿入凹部が形成され、該スチールロッド挿入凹部の両端部にねじ孔が形成されたスチールロッド固定ブロック、このスチールロッド固定ブロックのねじ孔に前記ボールミル本体の外側から、該ボールミル本体に形成されたボルト挿入孔を通過して螺合する締付ボルトとからなる取付具とを備えることを特徴とするボールミル。
【請求項３】
トラックやトレーラー等の車両と、この車両の荷台に取付けられたフレームと、このフレームに取付けられた回転駆動装置で回転される一端部に挿入口が形成され、他端部に排出口が形成されたボールミル本体と、このボールミル本体の内壁面に所定間隔で、並列するように配置された多数個のスチールロッドと、これらのスチールロッドの少なくとも両端部あるいは両端部寄りの部位で着脱可能に前記ボールミル本体に固定する底面中央部にスチールロッド挿入凹部が形成され、該スチールロッド挿入凹部の両端部にねじ孔が形成されたスチールロッド固定ブロック、このスチールロッド固定ブロックのスチールロッド挿入凹部に固定された弾性体、前記スチールロッド固定ブロックのねじ孔に前記ボールミル本体の外側から、該ボールミル本体に形成されたボルト挿入孔を通過して螺合する締付ボルトとからなる取付具とを備えることを特徴とするボールミル。
【発明の詳細な説明】
【技術分野】
【０００１】
本発明は石を粉砕して砂に加工するボールミルに関する。
【背景技術】
【０００２】
従来のボールミルは回転されるボールミル本体内壁面に、丸棒型ライナーを当接状態で並列させた層状に配列している。
【０００３】
このため、ボールミル本体内に石とボールを投入させて回転させても、石やボールの移動量が限られ、効率よく石を粉砕することができないという欠点があった。
【特許文献１】実公昭４７−２５０８３
【発明の開示】
【発明が解決しようとする課題】
【０００４】
本発明は以上のような従来の欠点に鑑み、ボールや石の移動量を大きくして、効率よく石を粉砕することができるとともに、ボールや石を上方へ移動したり、石をボールとの衝突によって効率よく粉砕させるスチールロッドの交換作業を容易に行なうことができるボールミルを提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はフレームに取付けられた回転駆動装置で回転される一端部に挿入口が形成され、他端部に排出口が形成されたボールミル本体と、このボールミル本体の内壁面に所定間隔で、並列するように配置された多数個のスチールロッドと、これらのスチールロッドの少なくとも両端部あるいは両端部寄りの部位で着脱可能に前記ボールミル本体に固定する取付具とでボールミルを構成している。
【発明の効果】
【０００７】
以上の説明から明らかなように、本発明にあっては次に列挙する効果が得られる。
【０００８】
（１）フレームに取付けられた回転駆動装置で回転される一端部に挿入口が形成され、他端部に排出口が形成されたボールミル本体と、このボールミル本体の内壁面に所定間隔で、並列するように配置された多数個のスチールロッドと、これらのスチールロッドの少なくとも両端部あるいは両端部寄りの部位で着脱可能に前記ボールミル本体に固定する取付具とで構成されているので、ボールミル本体内へボールと石を投入して、ボールミルを回転させることにより、スチールロッド間に位置するボールと石とをほぼ９０度近くまで移動させて落下させることができる。
したがって、効率よく石を粉砕することができる。
【０００９】
（２）前記（１）によって、多数個のスチールロッドを取付具によって着脱可能に固定しているので、損傷した部分のスチールロッドの交換は勿論、摩耗した全体のスチールロッドの交換も容易で安価に行なうことができる。
【００１０】
（３）前記（１）によって、構造が簡単であるので、容易に実施することができる。
【００１１】
（４）請求項２、３も前記（１）〜（３）と同様な効果が得られるとともに、スチールロッド固定ブロックを固定する締付ボルトはボールミル本体内にむき出しにならないため、摩耗して外せなくなったりする不具合を確実に防止することができる。
【発明を実施するための最良の形態】
【００１２】
以下、図面に示す本発明を実施するための最良の形態より、本発明を詳細に説明する。
【００１３】
図１ないし図７に示す本発明を実施するための最良の第１の形態において、１は本発明のボールミルで、このボールミル１はトラックやトレーラー等の車両２と、この車両２の荷台３に取付けられたフレーム４と、このフレーム４に取付けられた回転駆動装置５と、この回転駆動装置５で回転される一端部に挿入口６が形成され、他端部に該挿入口６よりも大径の排出口７が形成されたボールミル本体８と、このボールミル本体８の内壁面に所定間隔で、並列するように配置された多数個のスチールロッド９と、これらのスチールロッド９の少なくとも両端部あるいは両端部寄りの部位で着脱可能に前記ボールミル本体８に固定する取付具１０と、前記挿入口６を覆うように前記ボールミル本体８の一側面に固定された外側端部が順次小径となるガイド筒１１と、前記排出口７に着脱可能に取付けられた粗目のメッシュ板１２と、この粗目のメッシュ板１２から排出された、粉砕された砂を選別できるように、前記ボールミル本体の他側面に着脱可能に取付けられた筒状のメッシュ板を用いた選別筒１３とで構成されている。
【００１４】
前記回転駆動装置５は前記ボールミル本体８を回転可能に前・後部寄りの下部位置で支持するように前記フレーム４に取付けられた２対の支持輪１４、１４、１５、１５と、この２対の支持輪１４、１４、１５、１５の一方の支持輪１４、１５を減速機１６を介して回転させるモーター１７と、前記ボールミル本体８の両側面の下部と当接して回転する横方向の振れ止め輪１８、１８とで構成されている。
【００１５】
前記取付具１０は図６および図７に示すように、底面中央部に前記スチールロッド９が挿入されるスチールロッド挿入凹部１９が形成されたスチールロッド固定ブロック２０と、このスチールロッド固定ブロック２０のスチールロッド挿入凹部１９の両端部に形成されたねじ孔２１、２１と、前記スチールロッド固定ブロック２０のスチールロッド挿入凹部１９に接着剤等で固定された、ゴム板や軟質合成樹脂板等の弾性体２２と、前記スチールロッド固定ブロック２０のねじ孔２１、２１にパッキン等のシール材を介して前記ボールミル本体８の外側から、該ボールミル本体８に形成されたボルト挿入孔２３、２３を通過して螺合する締付ボルト２４、２４とで構成されている。
【００１６】
上記構成のボールミル１は車両２の移動によって、任意の場所で石を粉砕して砂を作ることができる。
また、砂を作る場合にはボールミル本体８内に多数個のボール２５と、石２６を挿入口６より投入し、ボールミル本体８を回転駆動装置５で回転させることにより、ボール２５と石２６はスチールロッド９、９間に入った状態で直下よりほぼ９０度近辺まで押し上げられて、落下するため、効率よく粉砕できる。
粉砕されて砂となると、ボールミル本体８の排出口７の粗目のメッシュ板１２を通過して選別筒１３内へ押し出され、該選別筒１３で使用できる砂２７と、もう一度粉砕する石２８とに選別される。
なお、ボールミル本体８は軸心が水平状態となるように配置されていても、排出口７より砂を排出することができるが、挿入口６側が上方となるように車両２を傾斜させたり、ボールミル本体８を回転可能に支持する２対の支持輪１４、１４、１５、１５の高さを設定してもよい。
[発明を実施するための異なる形態]
【００１７】
次に、図８ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図８ないし図１１に示す本発明を実施するための第２の形態において、前記本発明を実施するための最良の第１の形態と主に異なる点は、多数個のスチールロッド９の中央部分に前後のスチールロッド９、９を着脱可能に固定するスチールロッド固定ブロック２０、２０の、位置がずれるように取付具１０を配置した点で、このように多数個のスチールロッド９を着脱可能に固定したボールミル１Ａにしても、前記本発明を実施するための最良の第１の形態と同様な作用効果が得られる。
なお、多数個のスチールロッド９の中間部分に、２個以上の取付具１０を用いて着脱可能にボールミル本体８の内壁面に取付けてもよい。
【００１９】
図１２ないし図１４示す本発明を実施するための第３の形態において、前記本発明を実施するための第２の形態と主に異なる点は、ボールミル本体８の回転によって粉砕された砂が排出口７より効率よく排出されるように、排出側をわずかに傾斜させた複数個のスチールロッド９Ａを着脱可能にボールミル本体８の内壁面に取付具１０、１０で取付けた点で、このように構成したボールミル１Ｂにしても、前記本発明を実施するための第２の形態と同様な作用効果が得られる。
【００２０】
なお、前記本発明を実施するための各形態では車両２を用いるものについて説明したが、本発明はこれに限らず、フレーム４を床面等に設置するものであってもよい。
また、回転駆動装置５はトラックの荷台を除去し、フレームを支持台に固定し、荷台の除去によって上面に現れた車輪でボールミル本体８を支持し、トラックの
エンジンを駆動させて車輪を駆動させることにより、ボールミル本体８を回転できるようにしたものや、その他ボールミル本体８を回転できるものであれば、どんな構成のものを用いてもよい。
さらにボールミル本体８を円筒状のものについて説明したが、本発明はこれに限らず、排出側を順次小径にしたものを用いてもよい。
【産業上の利用可能性】
【００２１】
本発明はボールミルを製造する産業およびこれを使用する産業で利用される。
【図面の簡単な説明】
【００２２】
【図１】本発明を実施するための最良の第１の形態の側面図。
【図２】本発明を実施するための最良の第１の形態の平面図。
【図３】本発明を実施するための最良の第１の形態の背面図。
【図４】本発明を実施するための最良の第１の形態のボールミル本体の縦断面図。
【図５】本発明を実施するための最良の第１の形態のボールミル本体の横断面図。
【図６】本発明を実施するための最良の第１の形態の取付具の取付け状態の説明図。
【図７】本発明を実施するための最良の第１の形態のスチールロッド固定ブロックの説明図。
【図８】本発明を実施するための第２の形態の側面図。
【図９】本発明を実施するための第２の形態の平面図。
【図１０】本発明を実施するための第２の形態のボールミル本体の横断面図。
【図１１】本発明を実施するための第２の形態の取付具の取付け状態の説明図。
【図１２】本発明を実施するための第３の形態の側面図。
【図１３】本発明を実施するための第３の形態の平面図。
【図１４】本発明を実施するための第３の形態のボールミル本体の横断面図。
【符号の説明】
【００２３】
１、１Ａ、１Ｂ：ボールミル、    ２：車両、
３：荷台、                      ４：フレーム、
５：回転駆動装置、              ６：挿入口、
７：排出口、                    ８：ボールミル本体、
９、９Ａ：スチールロッド、      １０：取付具、
１１：ガイド筒、                １２：粗目のメッシュ板、
１３：選別筒、                  １４、１５：支持輪、
１６：減速機、                  １７：モーター、
１８：振れ止め輪、                                    
１９：スチールロッド挿入凹部、
２０：スチールロッド固定ブロック、
２１：ねじ孔、                  ２２：弾性体、
２３：ボルト挿入孔、            ２４：締付ボルト、
２５：ボール、                  ２６：石、
２７：砂、                      ２８：もう一度粉砕する石。
【図１】
2005279412.tif 000003
【図２】
2005279412.tif 000004
【図３】
2005279412.tif 000005
【図４】
2005279412.tif 000006
【図５】
2005279412.tif 000007
【図６】
2005279412.tif 000008
【図７】
2005279412.tif 000009
【図８】
2005279412.tif 000010
【図９】
2005279412.tif 000011
【図１０】
2005279412.tif 000012
【図１１】
2005279412.tif 000013
【図１２】
2005279412.tif 000014
【図１３】
2005279412.tif 000015
【図１４】
2005279412.tif 000016